(57)【特許請求の範囲】
【請求項１】
印鑑票のイメージデータ及びその印鑑票に対応する顧客の口座情報をデータベースとして保有する印鑑コントローラと、該印鑑コントローラにアクセスして印鑑票の照会を行い、印鑑票のイメージデータを表示する印鑑照会機とを有する印鑑照会システムにおける情報更新システムにおいて、
前記印鑑照会システムとは別システムとして構成され、印鑑票のイメージデータを除く顧客の口座情報をデータベースとして保有するホストコンピュータと、
金融機関の窓口に設けられ、前記ホストコンピュータに接続された汎用端末とを備え、
前記ホストコンピュータは、前記汎用端末により印鑑に関連する口座情報に対する修正オペレーションが行われたとき、該当する口座情報の修正を行って修正口座情報ファイルを作成し、かつ、そのファイルを記録媒体に記録し、
前記印鑑コントローラは、前記記録媒体に記録された修正口座情報ファイルに基づいて、データベースの口座情報を更新することを特徴とする印鑑照会システムにおける情報更新システム。
【請求項２】
印鑑票のイメージデータ及びその印鑑票に対応する顧客の口座情報をデータベースとして保有する印鑑コントローラと、該印鑑コントローラにアクセスして印鑑票の照会を行い、印鑑票のイメージデータを表示する印鑑照会機とを有する印鑑照会システムにおける情報更新システムにおいて、
前記印鑑照会システムとは別システムとして構成され、印鑑票のイメージデータを除く顧客の口座情報をデータベースとして保有するホストコンピュータと、
金融機関の窓口に設けられ、前記ホストコンピュータに接続された汎用端末とを備え、
前記ホストコンピュータは、前記汎用端末により印鑑に関連する口座情報に対する修正オペレーションが行われたとき、該当する口座情報の修正を行って修正口座情報ファイルを作成し、かつ、そのファイルを通信手段を介して前記印鑑コントローラに転送し、
前記印鑑コントローラは、前記ホストコンピュータからの修正口座情報ファイルに基づいて、データベースの口座情報を更新することを特徴とする印鑑照会システムにおける情報更新システム。
【発明の詳細な説明】
【０００１】
【発明の属する技術分野】
本発明は、印鑑照会システムにおける情報の更新方法に関するものである。
【０００２】
【従来の技術】
図５は、従来の印鑑照会システムの構成を示すシステム構成図である。
図において、３０は印鑑コントローラ、３１は印鑑票のイメージ入力を行うイメージリーダ、イメージデータの出力等を行うプリンタ、３３は印鑑コントローラ３０に対して印鑑の照会を行う印鑑照会機、３４は印鑑コントローラ３０と印鑑照会機３３を接続するためのＨＵＢである。
【０００３】
図５に示すような従来の印鑑照会システムでは、「店番」「科目」「口座番号」等をキーとして現物の印鑑票を電子ファイル化して管理しており、また、各口座・印鑑に対する各種情報も所有しており、印鑑コントローラ３０上で、例えば図６に示すような修正画面を表示させ、事故情報などの諸設定ができるようになっている。
【０００４】
また、印鑑照会システム上に設定されている各種情報は、例えば金融機関などのホストコンピュータにも記録されている情報であり、印鑑照会システムにおいて必要な情報として、ホストコンピュータ上に記録されている情報の一部が設定されるようになっている。
【０００５】
また、印鑑照会機３３による印鑑の照会時に、印鑑照会システムにおける各口座・印鑑に対する各種情報の設定内容に応じて、図７に示すように、例えば、印鑑紛失などの情報を印鑑照会機３３の画面上に表示したり、又はブザーを鳴らす等の機能を有しており、印鑑照会機３３の操作オペレータに対して当該口座に対する注意喚起を促すようになっている。
【０００６】
【発明が解決しようとする課題】
しかしながら、従来の印鑑照会システムでは、口座情報などが変更されたときには、その都度、設定変更操作を行う必要がある。
例えば、金融機関では、ホストコンピュータに口座情報を所有する必要があるため、金融機関のホストコンピュータに接続される汎用端末において、ホストコンピュータの設定変更オペレーションを行うと共に、更に、印鑑照会システムでの設定変更操作を行う必要があり、同一操作を各装置毎に行う必要があり、設定に手間がかかり、さらに、設定の間違いも発生しやすくなるという問題点があった。
例えば、顧客より、金融機関に対して、印鑑紛失の届出があった場合、金融機関も窓口端末にて印鑑紛失の設定を行い、その情報をホストコンピュータに登録すると共に、印鑑照会システムにおいても印鑑紛失に伴う口座情報修正操作を行う必要があった。
【０００７】
【課題を解決するための手段】
本発明に係る印鑑照会システムにおける情報更新システムは、印鑑票のイメージデータ及びその印鑑票に対応する顧客の口座情報をデータベースとして保有する印鑑コントローラと、印鑑コントローラにアクセスして印鑑票の照会を行い、印鑑票のイメージデータを表示する印鑑照会機とを有する印鑑照会システムにおける情報更新システムにおいて、印鑑照会システムとは別システムとして構成され、印鑑票のイメージデータを除く顧客の口座情報をデータベースとして保有するホストコンピュータと、金融機関の窓口に設けられ、ホストコンピュータに接続された汎用端末とを備え、ホストコンピュータは、汎用端末により印鑑に関連する口座情報に対する修正オペレーションが行われたとき、該当する口座情報の修正を行って修正口座情報ファイルを作成し、かつ、そのファイルを記録媒体に記録し、印鑑コントローラは、記録媒体に記録された修正口座情報ファイルに基づいて、データベースの口座情報を更新するようにしたものである。
また本発明は、印鑑票のイメージデータ及びその印鑑票に対応する顧客の口座情報をデータベースとして保有する印鑑コントローラと、印鑑コントローラにアクセスして印鑑票の照会を行い、印鑑票のイメージデータを表示する印鑑照会機とを有する印鑑照会システムにおける情報更新システムにおいて、印鑑照会システムとは別システムとして構成され、印鑑票のイメージデータを除く顧客の口座情報をデータベースとして保有するホストコンピュータと、金融機関の窓口に設けられ、ホストコンピュータに接続された汎用端末とを備え、ホストコンピュータは、汎用端末により印鑑に関連する口座情報に対する修正オペレーションが行われたとき、該当する口座情報の修正を行って修正口座情報ファイルを作成し、かつ、そのファイルを通信手段を介して印鑑コントローラに転送し、印鑑コントローラは、ホストコンピュータからの修正口座情報ファイルに基づいて、データベースの口座情報を更新するようにしたものである。
【０００８】
【発明の実施の形態】
実施の形態１．
図１は本発明の実施の形態１に係る印鑑照会システムの構成を示すブロック図である。
図において、１０は印鑑照会システム全体を制御する印鑑コントローラであり、印鑑票を電子ファイル化したイメージデータを保有し、また、印鑑照会システムに使用する顧客の口座情報をデータベース１７として保有している。
１１は印鑑票のイメージ入力を行うイメージリーダ、１２は印鑑コントローラ１０にて所有する統計情報等の出力を行うプリンタ、１３は印鑑コントローラにアクセスし、印鑑票の照会を行い、印鑑票のイメージデータを表示する印鑑照会機、１４は印鑑コントローラ１０と印鑑照会機１３とを接続するＬＡＮなどの接続ケーブル、１５は金融機関などのホストコンピュータであり、金融機関の顧客の口座情報などをデータベース１８として保有している。
【０００９】
１６は金融機関等の窓口に設置してある汎用端末であり、ホストコンピュータ１５に接続され、ホストコンピュータ１５上の各種情報の設定や検索・照会を行うものである。
１９はフロッピーディスクなどの記録媒体であり、ホストコンピュータ１５と印鑑コントローラ１０との間での口座情報などの受渡しに使用されるものである。
【００１０】
次に、この実施の形態の動作について説明する。
図２は、この実施の形態の動作を示すフローチャートである。
まず、金融機関等の窓口において顧客より印鑑紛失等の届出があると、ホストコンピュータ１５に接続された汎用端末１６において、口座情報のデータベース１８の該当口座に対する情報修正オペレーションを行い（Ｓ１００）、この設定はリアルタイムにホストコンピュータ１５に通知され、ホストコンピュータ１５で所有する口座情報のデータベース１８の修正が行われる（Ｓ１０１）。
【００１１】
そして、この口座情報のデータベース１８の修正が行わた際、ホストコンピュータ１５にて、修正された口座情報に関する修正口座情報ファイルを作成し（Ｓ１０２）、作成された修正口座情報ファイルが記録されたフロッピーディスクなどの記録媒体１９を作成する（Ｓ１０３）。
なお、ここで作成される修正口座情報ファイルとしては、例えば、店番・科目・口座番号等のキー情報と修正内容から構成されており、修正内容は口座単位・印鑑単位に設定が可能であり、印鑑紛失等のいわゆる事故情報の設定／解除及び解約に伴う情報の設定／解除のほか、設定日／解除日等の日付情報等がある。
【００１２】
そして、Ｓ１０３で作成された記録媒体１９を印鑑コントローラ１０まで搬送し、印鑑コントローラ１０により、記録媒体１９に記録された情報を読み取り、読み取った修正口座情報ファイルを印鑑コントローラ１０内にワークファイルとして保管する（Ｓ１０４）。
【００１３】
そして、修正口座情報ファイルの、例えば、店番・科目・口座番号等のキー情報をもとに印鑑コントローラ１０の内部の口座情報データベース１７内を検索し、修正口座情報ファイルに関する口座情報を検索し（Ｓ１０５）、その検索した口座情報を修正口座情報ファイル内の修正内容に基づいて、書き換えを行う（Ｓ１０６）。
そして、書き換え処理が正しく行われたことを印鑑コントローラ１０に接続しているプリンタ１２に出力し処理が完了する（Ｓ１０７）。
【００１４】
この実施の形態では、ホストコンピュータ１５で所持する口座情報に変更が生じたときに、フロッピーディスクなどの記録媒体１９を経由して変更された口座情報を授受することが可能となり、印鑑コントローラの装置毎に口座情報設定を行う必要がなくなる。
【００１５】
実施の形態２．
この実施の形態は、実施の形態１において、ホストコンピュータ１５と印鑑コントローラ１０との間の、フロッピーディスクなどの記録媒体１９による修正口座情報ファイルの授受を、通信制御装置により直接行うようにしたものである。
図３は、本発明の実施の形態２に係る印鑑照会システムの構成を示すブロック図である。
図において、１０は印鑑照会システム全体を制御する印鑑コントローラであり、印鑑票を電子ファイル化したイメージデータを保有し、また、印鑑照会システムに使用する顧客の口座情報をデータベース１７として保有している。
１１は印鑑票のイメージ入力を行うイメージリーダ、１２は印鑑コントローラ１０にて所有する統計情報等の出力を行うプリンタ、１３は印鑑コントローラにアクセスし、印鑑票の照会を行い、印鑑票のイメージデータを表示する印鑑照会機、１４は印鑑コントローラ１０と印鑑照会機１３とを接続するＬＡＮなどの接続ケーブル、１５は金融機関などのホストコンピュータであり、金融機関の顧客の口座情報などをデータベース１８として保有している。
【００１６】
１６は金融機関等の窓口に設置してある汎用端末であり、ホストコンピュータ１５に接続され、ホストコンピュータ１５上の各種情報の設定や検索・照会を行うものである。２０は通信制御装置であり、通信回線２１を介して、ホストコンピュータ１５と印鑑コントローラ１０との間で修正口座情報ファイルの授受を行うものである。
【００１７】
次に、この実施の形態の動作について説明する。
図４は、この実施の形態の動作を示すフローチャートである。
まず、金融機関等の窓口において顧客より印鑑紛失等の届出があると、ホストコンピュータ１５に接続された汎用端末１６において、口座情報のデータベース１８の該当口座に対する情報修正オペレーションを行い（Ｓ１１０）、この設定はリアルタイムにホストコンピュータ１５に通知され、ホストコンピュータ１５で所有する口座情報のデータベース１８の修正が行われる（Ｓ１１１）。
【００１８】
そして、この口座情報のデータベース１８の修正が行わた際、ホストコンピュータ１５にて、修正された口座情報に関する修正口座情報ファイルを作成し（Ｓ１１２）、作成された修正口座情報ファイルを通信制御装置２０及び通信回線２１を介して、印鑑コントローラ１０に転送する（Ｓ１１３）。
なお、ここで作成作成される修正口座情報ファイルとしては、例えば、店番・科目・口座番号等のキー情報と修正内容から構成されており、修正内容は口座単位・印鑑単位に設定が可能であり、印鑑紛失等のいわゆる事故情報の設定／解除及び解約に伴う情報の設定／解除のほか、設定日／解除日等の日付情報等がある。
【００１９】
そして、印鑑コントローラ１０により、ホストコンピュータ１５から転送された修正口座情報ファイルを受信し、受信した修正口座情報ファイルを印鑑コントローラ１０内にワークファイルとして保管する（Ｓ１１４）。
【００２０】
そして、修正口座情報ファイルの、例えば、店番・科目・口座番号等のキー情報をもとに印鑑コントローラ１０の内部の口座情報データベース１７内を検索し、修正口座情報ファイルに関する口座情報を検索し（Ｓ１１５）、その検索した口座情報を修正口座情報ファイル内の修正内容に基づいて、書き換えを行う（Ｓ１１６）。
そして、書き換え処理が正しく行われたことを印鑑コントローラ１０に接続しているプリンタ１２に出力し処理が完了する（Ｓ１１７）。
【００２１】
この実施の形態では、ホストコンピュータ１５と印鑑照会システムとを通信制御装置２０及び通信回線２１を介して接続し、ホストコンピュータ１５で所持する口座情報に変更が生じたときに、通信制御装置２０及び通信回線２１を介して、変更された口座情報を授受することが可能となり、印鑑コントローラの装置毎に口座情報設定を行う必要がなくなり、口座情報修正が発生した都度即座に、印鑑照会システムにも情報修正が反映することが可能となる。
また、ホストコンピュータ１５側にてフロッピーディスク等の媒体を作成する作業が一切無くなるため、いわゆる作業の効率化及び媒体費用等の削減も可能となる。
【００２２】
なお、実施の形態１では、修正口座情報ファイルをフロッピーディスクに記録しているが、その他、ファイルを記録できる媒体であれば、他の記録媒体を使用してもよい。
【００２３】
また、実施の形態１、２では、ホストコンピュータ１５で所持する口座情報を印鑑照会システムに反映するための例を説明したが、単なる口座情報のみに限らず、例えば以下に示すような各種情報にも適用可能である。
・代理人に対する情報（受付日、備考、メモ情報等）
・事故口座／事故印鑑に対する情報
・口座の削除に対する情報
・印鑑の削除に対する情報
・解約設定／解除に対する情報
・雑益編入設定／解除に対する情報
・解約口座の一括削除に対する情報
・新規口座に対する情報（印鑑票登録の確認）
・口座移管に対する情報
・共通印鑑化に対する情報（個別印鑑、共通印鑑への編入）
・氏名・住所変更に対する情報
【００２４】
また、実施の形態２においては、上述したように、単なる口座情報のみに限らず、ホストコンピュータ上のさまざまな情報を印鑑照会システムに転送することができるので、ホストコンピュータ１５で所持するさまざまな情報を人手を介することなく、印鑑照会システムに即座にオンラインで反映することが可能となる。
【００２５】
【発明の効果】
以上のように、本発明によれば、汎用端末により印鑑に関連する口座情報に対する修正オペレーションが行われたとき、ホストコンピュータが、該当する口座情報の修正を行って記録媒体に記録し、印鑑コントローラが、記録媒体に記録された修正口座情報に基づいて、データベースの口座情報を更新するようにしたので、印鑑照会システムの装置毎に口座情報の更新設定を行う必要がなくなるという効果を有する。
【図面の簡単な説明】
【図１】本発明の実施の形態１に係る印鑑照会システムの構成を示すブロック図である。
【図２】実施の形態１の動作を示すフローチャートである。
【図３】本発明の実施の形態２に係る印鑑照会システムの構成を示すブロック図である。
【図４】実施の形態２の動作を示すフローチャートである。
【図５】従来の印鑑照会システムの構成を示すシステム構成図である。
【図６】印鑑照会システムの修正画面を説明するための説明図である。
【図７】印鑑照会機３３の画面表示を説明するための説明図である。
【符号の説明】
１０  印鑑コントローラ
１１  イメージリーダ
１２  プリンタ
１３  印鑑照会機
１４  接続ケーブル
１５  ホストコンピュータ
１６  汎用端末
１７，１８  データベース
１９  記録媒体
２０  通信制御装置
２１  通信回線
【図１】
0003981897.tif 000002
【図２】
0003981897.tif 000003
【図３】
0003981897.tif 000004
【図４】
0003981897.tif 000005
【図５】
0003981897.tif 000006
【図６】
0003981897.tif 000007
【図７】
0003981897.tif 000008